(57)【要約】【課題】プラテンガラスに原稿を接触させずに搬送し、原稿画像を読取る装置において、原稿のプラテンガラスからの高さの変化に影響されずに均一な読み取り画像を得ること。【解決手段】原稿を搬送しながら、読み取りを行うシートスルー方式の原稿読取装置で、原稿を読取るための搬送時にガラスと接触させないで搬送するものにおいて、原稿のどの部分が読取り位置にあるかを計測して（Ｓ５）、その位置毎に原稿高さを推測し（Ｓ６）、推測した結果に応じて画像パラメータを可変する【選択図】図７
2008048045.tif 000002
【特許請求の範囲】
【請求項１】
プラテンガラス部材から浮かせた状態で原稿を所定の方向に搬送する自動原稿送り機構と、
自動原稿送り機構によって原稿を搬送し、所定の読取位置を通過させながら、前記プラテンガラス部材の下方に配された光源によって前記読取位置に在る原稿部分を照射し、前記原稿部分からの反射光を受光して前記原稿の画像を読み取る読取手段と、
前記反射光を画像データに変換する変換手段と、
前記読取位置に在る原稿部分が原稿の搬送方向におけるどの位置に相当するかを検出する原稿位置検出手段と、
前記原稿位置検出手段により検出された原稿部分の位置に応じて、前記原稿の画像データを補正するための画像パラメータの値を設定する設定手段と、
を備えることを特徴とするシートスルー方式の原稿読取装置。
【請求項２】
前記設定手段は、前記原稿部分の位置と前記プラテンガラス部材からの原稿の高さとを対応付けた第１のテーブルと、前記プラテンガラス部材からの原稿の高さと前記画像パラメータの値とを対応付けた第２のテーブルを備え、原稿位置検出手段が検出する原稿部分の位置を基に、前記第１テーブルからプラテンガラス部材からの原稿の高さを求め、さらに当該プラテンガラス部材からの原稿の高さから第２のテーブルを参照して画像パラメータの値を求めて、設定することを特徴とする請求項1記載のシートスルー方式の原稿読取装置。
【請求項３】
更に、原稿の紙種等の原稿情報を操作者が入力するための原稿情報入力手段と、
画像濃度や色合いを操作者が設定可能な画像調整入力手段とのいずれかを備え、
前記設定手段において用いられる画像パラメータの値は、前記原稿情報入力手段、画像調整入力手段によって修正される
ことを特徴とする請求項１記載のシートスルー方式の原稿読取装置。 
【発明の詳細な説明】
【技術分野】
【０００１】
本発明は、原稿読取装置に関し、特に、いわゆるシートスルー方式で原稿を読み取る原稿読取装置に関する。
【背景技術】
【０００２】
ユーザの利便性に鑑み、近年、複写機等の画像形成装置に備えられる原稿読取装置では、プラテンガラスに載置され静止した原稿の下方において光学系を移動させ、当該原稿の画像を読み取る移動光学方式に加え、自動原稿送り機構（ＡＤＦ）によってプラテンガラス上面の読取位置を通過する原稿を、プラテンガラス下方で静止させた光学系で読み取るシートスルー方式を採用した機種が市場に多く投入されている。
【０００３】
そして、この種のシートスルー方式の原稿読取装置において、原稿からの紙粉等の異物がプラテンガラスに残り画像筋ノイズとなるのを防ぐために、原稿をプラテンガラスから浮かせて搬送する構成が採用されている。このように原稿をプラテンガラスから浮かせて搬送する方法としては、読取位置の上流と下流の２つのローラで原稿を挟んで行う構成となる。
【特許文献１】特開平８−１２３１５７号公報
【発明の開示】
【発明が解決しようとする課題】
【０００４】
しかしながら、上記のように２つのローラで、原稿をプラテンガラスから浮かせる構成をとる場合、原稿先端が読取位置に差し掛かってから下流側ローラに突入するときまでのように上流側ローラだけに原稿が保持されている状態と、原稿後端が上流側ローラを通過してから読取位置を通過までのように下流側ローラだけに原稿が保持されている状態とにおいて、読取位置でのプラテンガラスから原稿までの高さが安定せず、そのため、読み込んだ画像の濃度や色合いが変化することになる。
【０００５】
また、薄紙等の透過濃度の高い原稿は、原稿高さが変動すると、背面の白板との隙間具合によって反射光量に微妙な差異を生じ、濃度ムラや色合いの差異が認められるし、腰の強い厚紙の原稿においては、上下流何れか一方のローラに保持されている状態で、原稿高さが低くなりがちであり、原稿の搬送位置によって濃度ムラや色合いの差異が無視できなくなる惧れがある。
【０００６】
さらには原稿長さによっても、１のローラに把持されている状態での原稿高さに差異を生じ、濃度ムラや色合いの差異を生じることが懸念される。
本発明は、上記課題に鑑み、読取位置におけるプラテンガラスからの原稿高さが、原稿の搬送位置によって変化したとしても、濃度ムラ、色合いの差異を可能な限り解消することの出来る原稿読取装置を提供することを目的とする。
【課題を解決するための手段】
【０００７】
上記の目的を達成するため、本発明に係るシートスルー方式原稿読取装置は、プラテンガラス部材から浮かせた状態で原稿を所定の方向に搬送する自動原稿送り機構と、自動原稿送り機構によって原稿を搬送し、所定の読取位置を通過させながら、前記プラテンガラス部材の下方に配された光源によって前記読取位置に在る原稿部分を照射し、前記原稿部分からの反射光を受光して前記原稿の画像を読み取る読取手段と、前記反射光を画像データに変換する変換手段と、前記読取位置に在る原稿部分が原稿の搬送方向におけるどの位置に相当するかを検出する原稿位置検出手段と、前記原稿位置検出手段により検出された原稿部分の位置に応じて、前記原稿の画像データを補正するための画像パラメータの値を設定する設定手段とを備えることを特徴としている。
【発明の効果】
【０００８】
本発明は、上記のようにシートスルー方式の原稿読取装置において、原稿の搬送方向いずれの部分が読取位置にあるかを検出し、その検出結果によって、画像パラメータの値を設定するものであるから、原稿先端や後端が読取位置を通過する際のように片持ち状態での搬送時には、原稿中程が読取位置を通過する場合に比べて、紙の腰により原稿高さが低くなるような場合であっても、原稿の搬送位置に応じて、画像パラメータの値が設定されることにより、原稿高さの変動に伴う濃度やMTFの変動が解消されることとなる。したがって、本発明によれば、シートスルー方式によるプラテンガラスの汚れの抑制等の利点を確保しつつ、画像品質を高く保つことが出来るといった効果がある。
【０００９】
ここで、前記設定手段は、前記原稿部分の位置と前記プラテンガラス部材からの原稿の高さとを対応付けた第１のテーブルと、前記プラテンガラス部材からの原稿の高さと前記画像パラメータの値とを対応付けた第２のテーブルを備え、原稿位置検出手段が検出する原稿部分の位置を基に、前記第１テーブルからプラテンガラス部材からの原稿の高さを求め、さらに当該プラテンガラス部材からの原稿の高さから第２のテーブルを参照して画像パラメータの値を求めて、設定する構成とすることができる。
【００１０】
このようにテーブルを参照して画像パラメータの値を求めるようにすると、演算を行う必要がなく、高速処理に適している。加えて、原稿高さを実際に検出するための検出手段を配置する必要がなく、低コスト化が図れる。
更に、本発明は、原稿の紙種等の原稿情報を操作者が入力するための原稿情報入力手段と、画像濃度や色合いを操作者が設定可能な画像調整入力手段とのいずれかを備え、前記設定手段において用いられる画像パラメータの値は、前記原稿情報入力手段、画像調整入力手段によって修正されるされるよう構成することが出来る。
【００１１】
このようにすると、機種ごとに使用者による画像補正のカスタマイズを行うことが出来、使用者ごとに微妙なニュアンスの画像表現を楽しむことが出来る。
【発明を実施するための最良の形態】
【００１２】
図１に、本発明の１実施形態としてのシートスルー方式の自動原稿送り機構（ＡＤＦ）付き原稿読取装置の構成図を示す。
図中、破線で囲んだブロック１０１は自動原稿送り機構、ブロック１０３は原稿読取装置である。
＜自動原稿送り機構＞
自動原稿送り機構１０１は、給紙トレイ２００と、原稿搬送路上に配設された給紙ローラ２２０、分離ローラ２２１、読み取り前後ローラ２０１、２０２からなる。給紙トレイ２００には、給紙時の傾きを防止するためのガイド部材があり、ガイド部材に連結された位置検出センサと給紙トレイ２００の搬送方向に設けられた複数の原稿検出部材との組み合わせにより、給紙トレイ２００上の原稿サイズを判別可能である。
【００１３】
給紙トレイ２００に積載された原稿Ｄは上記構成によってサイズ判定されると共に、給紙ローラ２２０によって、繰り出され、分離ローラ２２１によって重送を防止した状態でさらに下流に搬送され、読み取り前ローラ２０１を経て、プラテンガラス２０５と背面板２０３が上下に所定間隔置いて対向する読取位置Ｌまで搬送される。
前記プラテンガラス２０５より原稿搬送方向（Ｄ１）上流側にはプラテンガラス上面よりも若干高い搬送ガイド部材２２２が設けられている。搬送中の原稿Ｄは、この搬送ガイド部材２２２によって搬送方向及び姿勢が規制されて、プラテンガラス２０５より浮いた状態で読取位置Ｌを通過する。また、読み取り前ローラ２０１に対して読み取り後ローラ２０２の方が若干高速で回転しており、原稿先端が読み取り後ローラ２０２に把持された後は、原稿のプラテンガラス２０５からの浮きが、読み取り前後ローラ２０１、２０２の速度差により維持される。
【００１４】
読取位置Ｌを通過した原稿Ｄは、読み取り後ローラ２０２を経て、図示しない排出積載トレイへ排出されるか、裏面を読み取るため、図示しない反転経路へ搬送される。
＜原稿読取装置＞
原稿読取装置１０３は、前記プラテンガラス２０５の下方において、読取位置Ｌを通過する原稿Ｄを照射する光源２０６と反射鏡２０８、読取位置Ｌの原稿Ｄからの反射光をＣＣＤ２１３まで導く反射ミラー等の光学系２０９、２１１及びＣＣＤ２１３で読み取った画像データを各種補正する画像処理ブロック２１５からなる。
【００１５】
この実施例の原稿読取装置１０３は、固定光学系の一つであるシートスルー方式と移動光学系の一つであるミラー移動方式の両方で原稿画像の読み取りが可能なように構成されている。つまり、光源２０６、反射鏡２０８、反射ミラー等の光学系２０９、２１１を含むスライダーユニットが、原稿搬送方向あるいは逆方向に可動に構成されている。
＜制御部＞
図２は、上記自動原稿送り機構１０１及び原稿読取装置１０３を制御する制御部のブロック図である。
【００１６】
自動原稿送り機構１０１を制御するＣＰＵ３００は、原稿読取装置側を制御するＣＰＵ３０２と通信可能に接続されている。両者間の通信を通じて、原稿サイズ情報や動作モード、原稿を読み取るためのタイミング情報など各種の制御情報をやり取りする。
自動原稿送り機構１０１のＣＰＵ３００には、原稿搬送経路上に設けられている給紙ローラ、分離ローラ等のローラを駆動する駆動パルスモータ２２３及びそのモータを駆動するモータ駆動ＩＣ３０１が接続されている。駆動パルスモータ２２３は、自動原稿送り機構１０１のＣＰＵ３００により、φ０〜φ３の励磁信号を入力されることにより駆動される。倍率やモードに応じて、原稿搬送速度などを可変し、原稿搬送を制御する。
【００１７】
原稿読取装置１０３は、ＣＰＵ３０２によって制御されており、光源２０６、反射板２０８、光学系２０９等を含むスライダーユニットを移動させる駆動モータ３０５を制御している。
図３に画像処理部２１５の構成を示している。
ＣＣＤ２１３で読み込まれた画像信号は、Ａ／Ｄ変換器１２でディジタル信号（画像データ）に変換され、シェーディング補正部１３でシェーディング補正され、明度・色差分離部１４でＲ、Ｇ、Ｂ信号を明度と色差信号に分離し、シャープネス調整部１５、ＨＶＣ調整部１６でそれぞれの調整・補正をした後、色空間変換部１７にて画像の色空間をＬ＊ａ＊ｂ＊色空間に変換し、更に圧縮伸長部１９で、データ圧縮してメモリ部２０に保管している。
【００１８】
前記シャープネス調整部１５、ＨＶＣ調整部１６に対しては、画像調整パラメータ設定部１８が、シャープネス等の調整のための画像パラメータの設定により、読み取り画像の最適化が図られている。
＜原稿高さの変化と補正パラメータの関係＞
図４は、シートスルー方式の自動原稿搬送機構においてプラテンガラスに対する原稿の高さの変化を示すデータである。試験に供した原稿は、重さが３５ｇ／ｍ２（曲線Ａ）、８０ｇ／ｍ２（曲線Ｂ）、１２４ｇ／ｍ２（曲線Ｃ）、１５７ｇ／ｍ２（曲線Ｄ）、２１０ｇ／ｍ２（曲線Ｅ）と異なる５種類を選んだ。図４の横軸は、読取位置Ｌを通過する時刻で、原稿先端が一番早く、後端が最後になる。したがって、図の左端が原稿先端の通過時、右端が原稿後端の通過時に相当する。縦軸は、ガラス面からの浮き量すなわち原稿の高さ（単位ｍｍ）である。
【００１９】
図４から、原稿先端近くが読取位置Ｌにあるときは、原稿が片持ち状態（読み取り前ローラにのみ把持）であるため、プラテンガラス２０５に近い状態となり、原稿中央部分が読取位置Lにあるときは、原稿先端が読み取り後ローラ２０２に把持され、読み取り前後ローラ２０１、２０２の速度差により原稿に引っ張りテンションが掛かるため、プラテンガラス２０５より離れ、本来の狙いである白色の背面板２０３近傍に近付き、原稿後端が読取位置Ｌにあるときは、再び片持ち支持状態となるため、プラテンガラス２０５に近付いているのが観測される。
【００２０】
また、原稿の重さが増えると、それだけ中央付近での原稿高さが低くなっている。これは、原稿の腰が強くなるため、読み取り前後ローラ２０１、２０２による引っ張りテンションが掛かっても引き上げられにくくなるからである。図４から判るように、同一原稿における先端、中央部（中程）、後端の各位置による原稿高さの変化よりも、重さが異なる原稿ごとの高さの差の方が大きい。
【００２１】
図５(a)(b)(c)は、原稿高さと読み取り画像への影響度の関係を示す図である。影響度として、図５(a)は、原稿高さを変化させた場合の、ある濃度部分の原稿読み取り画像の階調性を示す。原稿高さが低いほど、階調レベルが高くなり、高くなるに従い、階調性が低くなっている。このため、高さによらず、階調性を均一にするには原稿高さがプラテンガラス２０５に近い場合は、階調性を下げて（つまり濃度補正を少なくし）、原稿高さが高い場合は、階調性を上げる（濃度補正を多くする）必要がある。
【００２２】
図５(b)は、原稿の浮き量（高さに相当）とＭＴＦの関係を示している。この場合も、画像を均一にするには、原稿の浮き量が低いほど、シャープネス性に対する補正を弱くし、原稿の浮き量が大きいほどシャープネス性に対する補正を強める必要がある。
図５(c)は、原稿の浮き量に対するページ内色差の関係を示している。この場合も、原稿の浮き量により、これらに関する色変換のパラメータを補正することで、色合いなどの画質に対して、均一な画像を得ることが出来る。
【００２３】
＜画像パラメータ＞
図６（a）の表１は、原稿高さに応じて画像パラメータを補正するテーブルを示している。原稿高さとは、読取位置Ｌにおけるプラテンガラス上面から原稿面までの高さをいう。画像パラメータとしてＡ、Ｂ、Ｃの３種類を設けているが、具体的には階調補正パラメータ、ＭＴＦ補正パラメータ、色差補正パラメータが該当する。
【００２４】
図６（ｂ）の表２は、原稿位置に応じた原稿高さの変換テーブルを示す。ＰＳＤ素子等を用いて読取位置における実際の原稿高さを検出する方法も考えられるが、本実施形態においては、実際の原稿高さを検出することなく、表２の変換テーブルを用いて、原稿先端から搬送方向における距離によって原稿高さを推測している。
図４に示したように原稿高さは、原稿の重さと原稿先端から読取り位置までの距離によって変化する傾向があり、原稿の種類が同じなら重さが大体同じであるところから、原稿先端から読取位置までの距離によってのみ変化すると考えられる。シートスルー方式の場合、原稿搬送速度が一定であるところから、原稿先端から読取位置までの距離は、原稿搬送速度と原稿先端が読取り位置を横切ってからの経過時間の積で簡単に求められる。
【００２５】
このように簡単に求められるので、高速で画像読み取りを行う装置には都合が良いのである。
原稿先端から読取位置までの距離が求まると、表２から原稿高さが推測でき、表１を参照して前記推測値から、画像パラメータを得る。
なお、表１、表２のテーブルは画像調整パラメータ設定部２１に格納されている。また、原稿の同じ位置でも、原稿高さは、原稿厚みの違いによっても異なる。表２は１種類の原稿の厚みにおける、原稿位置と原稿高さの関係を示したテーブルである。汎用性を高めるには、厚みの異なる原稿毎に表２のテーブルを準備しておき、読み取り対象の原稿の厚みを自動検出して或いは、操作パネルからユーザが手入力するようにして、該当する原稿厚みのテーブルを選択して使用するようにするのが良い。
【００２６】
画像調整パラメータ設定部２１には、原稿先端からの位置情報が入力され、上記テーブルから位置情報に応じた原稿高さを得、さらに原稿高さから画像パラメータＡ、Ｂを読み出し、シャープネス調整部１５、ＨＶＣ補正部１６に供給する。
＜画像補正処理＞
図７は、原稿位置に対する画像補正処理を示すフローチャートである。かかる処理は、図示しないＲＯＭ等の記録媒体に格納された制御プログラムに従ってＣＰＵ３０２が実行する。
【００２７】
図示していないが、メインルーチンが別途あり、メインルーチンにおいて、原稿高さの補正処理のサブルーチンがコールされると、図７のフローチャートを実行する。
最初、原稿読み取り中であるか否かが判定される（Ｓ１）。原稿読み取り中とは、原稿が給紙トレイ２００から繰り出されてから、排紙トレイに排出されるまでを言う。
給紙トレイ２００から繰り出す際までに原稿サイズは自動検出されているので、そのサイズに応じて表２の先端からの距離Ｌ１、Ｌ２、・・に相当するクロックカウンタ（後述する）のカウント値を計算し、記憶しておく（Ｓ２）。
【００２８】
ステップＳ１の判定が肯定的な場合、原稿先端が読取位置Ｌに達するタイミングを、読取位置Ｌよりも上流側に配置されているタイミングセンサの位置を通過してから所定時間（原稿先端が読取位置Ｌに達するまでの時間）待って（Ｓ３）、クロックカウンタＣＫをオンする（Ｓ４）。クロックカウンタＣＫは、自動原稿送り機構１０１に内蔵のクロックパルス発生器３０２が発するクロックパルスをカウントする。前述したように、シートスルー方式では原稿搬送速度は時間によって大きな変動はせず、ほぼ一定と看做せるからクロックパルスのカウント数は、原稿先端から読取位置までの距離に比例する。したがって、クロックパルスのカウント数を監視することにより、原稿先端から読取位置までの距離が求まる。
【００２９】
クロックカウンタＣＫがオンされ、カウンタ値ＣＫｎが０の状態で（Ｓ５）、表２から原稿高さＨｎを読み出し（Ｓ６）、その高さを基にして表１から画像パラメータを読み出し、画像パラメータ調整部２１に設定し（Ｓ７）、リターンする。
このように、カウンタ値ＣＫｎ＝０を判定しているのは、表２から理解されるように原稿先端から距離Ｌ１までは原稿高さをＨ１と推測しているので、原稿先端を読み取る際に、原稿高さＨ１に相当する画像パラメータに設定する必要があるからである。
【００３０】
原稿先端が読取位置を通過した後は、原稿後端が通過するまでは（Ｓ８）、処理はＳ１→Ｓ２→Ｓ３→Ｓ８→Ｓ５と進み、クロックカウンタのカウント値ＣＫｎが、表２に規定されている距離Ｌ１、Ｌ２・・・に等しいか否かの判定をする。等しくなければ、そのままリターンし、画像パラメータの値は、前のまま変更されることは無いが、規定された距離の何れかに等しければ、その距離Ｌｉに対応する原稿高さＨiを得て（Ｓ６）、それに応じた画像パラメータを表１から取得し、画像パラメータ調整部２１に設定する（Ｓ７）。
【００３１】
以後、上記処理を原稿後端を検出するまで繰り返し、原稿後端を検出すると（Ｓ８）、クロックカウンタＣＫをリセットして（Ｓ９）、１枚の原稿の読み取りを終了する。
＜画像パラメータの調整操作＞
図８は、パネル入力等による調整動作の処理を示す。
図７では、検出した原稿位置に対する画像補正をしたが、実際には、画像特性を手入力で微調したい場合がある。このような場合、一般には、操作パネルなどからサービスマンやユーザが調整値を入力することで、画像パラメータを補正することが行われる。図８では、これらに対するパラメータ変更処理の一例を記載している。先ず、サービスマンやユーザが、操作パネル上の所定のキーを押す等して原稿高さの微調を入力する操作をすると、原稿読み取り中でない場合に（Ｓ１１）、調整を受け付ける（Ｓ１２）。調整には、原稿のいずれの領域を調整するかの領域選択（Ｓ１２）と、紙の種類に従った高さ調整（Ｓ１３）とが設けられている。サービスマンやユーザは、操作パネル上の任意の選択キーで、先ず原稿のいずれの領域の調整であるかを指定する（Ｓ１２）。例えば原稿先端の所定範囲を調整すると指定すると、その範囲の高さ、パラメータが調整可能に設定される。領域指定後、紙の種類による高さ調整を選択すると、厚紙、普通紙、薄紙の何れかの入力を受け付ける（Ｓ１３）。普通紙を入力すると、もともと記憶しているテーブルデータが普通紙を対象としているので、何らの調整もしない。一方、厚紙か薄紙を入力すると、原稿高さが普通紙に対して異なるので、ステップＳ１４、Ｓ１５に示すように微調整値α１だけ、元の高さＨｎに対して加算、減算する。この場合、ステップＳ１２にて領域指定されているので、その領域における高さのみが調整される。これは、原稿先端領域が読取位置を通過していると考えられる時間だけ、テーブルから求める原稿高さの推測値Ｈｎに、前記微調整値α１だけ加算、減算し、その値を原稿高さとして、表２を参照し、該当する補正パラメータを求めることを意味する。
【００３２】
なお、図８では、ユーザ等が紙種を指定することによって補正パラメータの微調整を行っているが、紙種を指定することなく直接、画像レベルの調整を行うようにすることも出来る。図9は、そのような処理を行うフローチャートを示している。すなわち、図9は、丁度、図８のＳ１３、Ｓ１４、Ｓ１５に替えて実行されるステップを示している。Ｓ１２において、原稿領域の指定がなされると、画像レベルの調整入力を受け付ける（Ｓ１６）。レベル入力は、例えば数値キーの“１”“２”“３”を押下することによって行う。数値キー１が操作されると、操作前にＡ、Ｂ、Ｃであった画像パラメータがＡｎ´、Ｂｎ´、Ｃｎ´に変更される（Ｓ１７）。同様に数値キー3を押すと、画像パラメータがＡｎ”、Ｂｎ”、Ｃｎ”に変更される（Ｓ１８）。数値キー２を押した場合は、画像パラメータは元のまま変化しない。
【００３３】
＜変形例＞
なお、上記の実施形態では、原稿読み取り中に画像パラメータを変更する方法を採用しているが、原稿読み取り中には、原稿高さによる画像パラメータの変更は行わず、画像データをそのままメモリに格納し、その後にメモリデータを原稿高さに応じて補正する方法を採用することもできる。
【００３４】
また、画像パラメータは、シャープネス補正パラメータ、濃度補正パラメータのいずれか一方でもよく、原稿高さに依存して特性の変化する他の画像を補正するためのパラメータであってもよい。
【産業上の利用可能性】
【００３５】
シートスルー方式の原稿読取装置において、原稿高さの変動に伴う画像劣化を低減することで、シートスルー方式の画質向上を図る。 
【図面の簡単な説明】
【００３６】
【図１】本発明の1実施形態としての原稿読取装置を示す図である。
【図２】原稿読取装置を制御する制御部のブロック図である。
【図３】画像処理部の構成を示す図である。
【図４】シートスルー方式の自動原稿搬送機構における読取位置での、プラテンガラスに対する原稿の高さの変化を示すデータである。
【図５】原稿高さと画像への影響度の関係を示す図である。（a）は、原稿高さによる原稿階調再現の変化を示し、（ｂ）は、原稿浮き量とＭＴＦの関係を示し、（ｃ）は、原稿浮き量に対するページ内色差の関係を示している。
【図６】原稿高さに応じて画像パラメータを補正するテーブルと（表１）、原稿位置に応じた原稿高さの変換テーブル（表２）とを示している。
【図７】原稿位置に対する画像補正処理を示すフローチャートである。
【図８】パネル入力等による調整動作の処理を示すフローチャートである。
【図９】パネル入力等による調整動作の他の例を示すフローチャートである。
【符号の説明】
【００３７】
１０１  自動原稿送り機構
１０３  原稿読取装置
２００  給紙トレイ
２０１  読み取り前ローラ
２０２  読み取り後ローラ
２０５  プラテンガラス
２０６  光源
２１３  ＣＣＤ
２２０  給紙ローラ
２２１  分離ローラ
２１  画像調整パラメータ設定部
Ｌ  読取位置
Ｄ  原稿
【図１】
2008048045.tif 000003
【図２】
2008048045.tif 000004
【図３】
2008048045.tif 000005
【図４】
2008048045.tif 000006
【図５】
2008048045.tif 000007
【図６】
2008048045.tif 000008
【図７】
2008048045.tif 000009
【図８】
2008048045.tif 000010
【図９】
2008048045.tif 000011